(57)【要約】【課題】撮影装置の撮影モード設定を容易に、かつ素早く行うことができる撮影装置及びその制御方法、撮影システム、プログラムを提供する。【解決手段】撮影者の各指に装着されたＩＣチップに対応する、撮影装置の撮影モード設定情報を複数登録する設定情報テーブル４００を備える撮像装置１００であって、撮影時に撮影ボタン近傍に存在するＩＣチップ１０を検出するＩＣチップ通信部９と、検出したＩＣチップに対応する撮影モード設定情報を検索し、撮影モード設定を行う設定制御部１３を備える。【選択図】図１
2012105220.tif 000002
【特許請求の範囲】
【請求項１】
識別媒体の識別媒体の識別情報を検知する検知部と、、撮影時の制御情報と前記識別媒体とを紐付けて管理する撮像装置において、
前記識別媒体の受付に応じて、当該識別媒体に記憶されている識別情報を検知する検知手段と、
前記検知手段により前記識別媒体を検知した時の前記撮像装置の制御情報と、前記識別媒体の識別情報とを紐付けて記憶部に登録する制御情報登録手段と、
前記識別媒体を用いて制御情報を設定可能な制御撮影モードに切り替える切替手段と、
前記切替手段により制御撮影モードに切り替えられている時に、前記検知手段で検知した識別媒体の識別情報が登録されているか否かを判定する判定手段と、
前記判定手段により前記識別媒体の識別情報が登録されていると判定された場合、当該識別情報に紐づ手管理されている制御情報を取得する取得手段と、
前記取得手段により取得した制御情報に基づいて、画像の撮影を実行する撮影手段と、
を有することを特徴とする撮像装置。
【請求項２】
前記判定手段により前記識別媒体の識別情報が登録されていると判定された場合、判定時点での前記撮像装置の制御情報を記憶部に一時保存する一時保存手段と、
前記検知手段により識別情報を検知しなくなった時に、前記一時保存手段により一時保存していた前記制御情報を前記撮像装置に再設定する際設定手段と
を更に備えることを特徴とする請求項１に記載の撮像装置。
【請求項３】
前記制御情報登録手段は、前記識別媒体の識別情報が既に別の制御情報に紐付いて記憶されている場合に、前記制御情報を上書きするか否かの選択を受け付ける上書選択受付手段を備えることを特徴とする請求項１または２に記載の撮像装置。
【請求項４】
前記検知手段により前記識別媒体を受け付けた時に、制御情報登録手段により登録された前記制御情報の編集を受け付ける編集受付手段を備えることを特徴とする請求項１乃至３のいずれか１項に記載の撮像装置。
【請求項５】
前記検知部による前記識別媒体を検知するための受信感度の設定を実行する受信感度設定手段を更に備えることを特徴とする請求項１乃至４のいずれか１項に記載の撮像装置。
【請求項６】
前記受信感度設定手段は、前記識別媒体が前記検知部により検知された場合に、ユーザが認識可能な形式で通知する通知手段を備えることを特徴とする請求項５に記載の撮像装置。
【請求項７】
識別媒体の識別情報を検知する検知部と、、撮影時の制御情報と前記識別媒体とを紐付けてする撮像装置の制御方法であって、
前記撮像装置の検知手段が、前記識別媒体の受付に応じて、当該記憶媒体に記憶されている識別情報を検知する検知ステップと、
前記撮像装置の切替手段が、前記識別媒体を用いて制御情報を設定可能な制御撮影モードに切り替える切替ステップと、
前記撮像装置の判定手段が、前記切替ステップにより制御撮影モードに切り替えられている時に、前記検知ステップで検知した識別媒体の識別情報が登録されているか否かを判定する判定ステップと、
前記撮像装置の取得手段が、前記判定ステップにより前記識別媒体の識別情報が登録されていると判定された場合、当該識別情報に紐づ手管理されている制御情報を取得する取得ステップと、
前記撮像装置の撮影手段が、前記取得ステップにより取得した制御情報に基づいて、画像の撮影を実行する撮影ステップ
とを含むことを特徴とする撮像装置の制御方法。
【請求項８】
識別媒体の識別情報を検知する検知部と、、撮影時の制御情報と前記識別媒体とを紐付けて管理する撮像装置を制御するプログラムであって、
前記撮像装置を、
前記識別媒体の受付に応じて、当該識別媒体に記憶されている識別情報を検知する検知手段と、
前記識別媒体を用いて制御情報を設定可能な制御撮影モードに切り替える切替手段と、
前記切替手段により制御撮影モードに切り替えられている時に、前記検知手段で検知した識別媒体の識別情報が登録されているか否かを判定する判定手段と、
前記判定手段により前記識別媒体の識別情報が登録されていると判定された場合、当該識別情報に紐づ手管理されている制御情報を取得する取得手段と、
前記取得手段により取得した制御情報に基づいて、画像の撮影を実行する撮影手段
として機能させることを特徴とするコンピュータで読み取り実行可能なプログラム。
【発明の詳細な説明】
【技術分野】
【０００１】
本発明は、撮影装置を用いての画像の撮影方法に関する。
【背景技術】
【０００２】
近年、撮影装置による撮影の際、撮影装置の使用者の指紋情報を利用して、撮影装置の動作を素早く制御する方法が考えられている。
【０００３】
その１つとして、特許文献１には、１台の撮影装置を複数の使用者が使用するとき、指紋情報を利用して、使用者ごとに撮影装置の設定を切り替えている。
また、特許文献２には、撮影装置の使用者の指紋情報を利用して、撮影情報の保存先を切り替えている。
【０００４】
また、特許文献３には、撮影装置の使用者の指紋情報を利用して、撮影時の撮影モードを通常撮影モードと自分撮りモードを切り替えている。
【先行技術文献】
【特許文献】
【０００５】
【特許文献１】特開２００３−０６０９７９号公報
【特許文献２】特開２００４−１７１４８８号公報
【特許文献３】特開２０１０−１６６１３２号公報
【発明の概要】
【発明が解決しようとする課題】
【０００６】
しかしながら、先行技術のように指紋認証を使用して撮影装置の撮影モードを制御することが可能であるが、指紋認証装置に地肌（素手）で接触する必要がある。そのため、指を怪我している場合や寒冷地での撮影をしている場合など、指紋認証ができない状況で撮影装置の制御が行えない場合がある。
【０００７】
本発明は上記の課題を解決するためになされたものであり、撮影装置を操作する際、指紋認証を利用しないで指の種類を判別し、撮影装置の動作制御を可能にする装置及びその制御方法、プログラムを提供することを目的とする。
【課題を解決するための手段】
【０００８】
即ち、本発明の撮像装置は、識別媒体の識別情報を検知する検知部と、、撮影時の制御情報と前記識別媒体とを紐付けて管理する撮像装置において、前記識別媒体の受付に応じて、当該識別媒体に記憶されている識別情報を検知する検知手段と、前記検知手段により前記識別媒体を検知した時の前記撮像装置の制御情報と、前記識別媒体の識別情報とを紐付けて記憶部に登録する制御情報登録手段と、前記識別媒体を用いて制御情報を設定可能な制御撮影モードに切り替える切替手段と、前記切替手段により制御撮影モードに切り替えられている時に、前記検知手段で検知した識別媒体の識別情報が登録されているか否かを判定する判定手段と、前記判定手段により前記識別媒体の識別情報が登録されていると判定された場合、当該識別情報に紐づ手管理されている制御情報を取得する取得手段と、前記取得手段により取得した制御情報に基づいて、画像の撮影を実行する撮影手段とを備えることを特徴とする。
また、本発明の撮像装置は、前記判定手段により前記識別媒体の識別情報が登録されていると判定された場合、判定時点での前記撮像装置の制御情報を記憶部に一時保存する一時保存手段と、前記検知手段により識別情報を検知しなくなった時に、前記一時保存手段により一時保存していた前記制御情報を前記撮像装置に再設定する際設定手段とを更に備えることを特徴とする。
また、本発明の撮像装置において、前記制御情報登録手段は、前記識別媒体の識別情報が既に別の制御情報に紐付いて記憶されている場合に、前記制御情報を上書きするか否かの選択を受け付ける上書選択受付手段を備えることを特徴とする。
また、本発明の撮像装置は、前記検知手段により前記識別媒体を受け付けた時に、制御情報登録手段により登録された前記制御情報の編集を受け付ける編集受付手段を備えることを特徴とする。
また、本発明の撮像装置は、前記検知部による前記識別媒体を検知するための受信感度の設定を実行する受信感度設定手段を更に備えることを特徴とする。
また、本発明の撮像装置において、前記受信感度設定手段は、前記識別媒体が前記検知部により検知された場合に、ユーザが認識可能な形式で通知する通知手段を備えることを特徴とする。
【発明の効果】
【０００９】
本発明によれば、撮影装置を操作する際、指紋認証を用いることなく指の種類を判別し、動作を制御する撮影装置を提供することが可能となる。
【図面の簡単な説明】
【００１０】
【図１】本発明を適用した一実施形態の撮影装置のハードウェア構成を示すブロック図である。
【図２】本発明を適用した一実施形態の撮影装置を示す正面図である。
【図３】本発明を適用した一実施形態の撮影装置を示す背面図である。
【図４】本発明を適用した一実施形態の撮影装置の記憶部１４に登録されている設定情報テーブル４００の一例を示す図である。
【図５】図１の撮影装置による登録処理に係る動作の一例を示すフローチャートである。
【図６】図１の撮影装置による撮影処理に係る動作の一例を示すフローチャートである。
【図７】図１の撮影装置によるＩＣチップ通信設定処理に係る動作の一例を示すフローチャートである。
【図８】図１の撮影装置によるＩＣチップ感度設定に係る動作の一例を示すフローチャートである。
【図９】図１の撮影装置によるＩＣチップ感度設定に係る動作の一例を示すフローチャートである。
【図１０】図１の撮影装置によるＩＣチップ装着の一例を示す図である。
【図１１】図１の撮影装置の表示部６で表示されるユーザインターフェースの一例を示す図である。
【図１２】図１の撮影装置の表示部６で表示されるユーザインターフェースの一例を示す図である。
【発明を実施するための形態】
【００１１】
図１は、本発明の１実施形態における撮影装置の概略構成を示すブロック図である。
【００１２】
図１において、撮像装置１００は、いわゆるデジタルカメラ等から成り、撮影用のレンズ１ａ、撮像素子１ｂ、信号処理部１ｃ、電源ボタン２ａ、撮影ボタン２ｂ、再生ボタン２ｃ、ズームボタン２ｄ、メニューボタン２ｅ、カーソルキー２ｆ、撮影モード切り替えダイヤル２ｇ、ＡＦ／ＭＦ切り替えスイッチ２ｈ、メモリ３、ＣＰＵ４、記録媒体５、表示部６、ファインダ７、スピーカ８、ＩＣチップ通信部９、ＩＣチップ１０、ＩＣチップ通信状態表示部１１、ＩＣモードボタン１２、設定制御部１３、記憶部１４を備える。
撮像部１は、撮影用のレンズ１ａ、撮像素子１ｂ、信号処理部１ｃなどで構成される。
【００１３】
レンズ１ａは、レンズ等であり、対物レンズ、ズームレンズ、およびフォーカスレンズなどで構成される。ズームレンズおよびフォーカスレンズについては、不図示の駆動機構により光軸方向へ駆動される。
【００１４】
撮像素子１ｂは、レンズ１ａを介して入射される光学画像を結像し、電気信号に変換する。撮像素子１ｂによって変換された電気信号は、信号処理部１ｃによって画像データに変換される。
【００１５】
信号処理部（ＡＤＣ）１ｃは、撮像素子１ｂから受けた電気信号にデジタル変換やホワイトバランス調整などの信号処理を行なって、デジタル信号に変換する機能を有する。
【００１６】
操作入力部２は、電源ボタン２ａ、撮影ボタン２ｂ、再生ボタン２ｃ、ズームボタン２ｄ、メニューボタン２ｅ、カーソルキー２ｆ、撮影モード切り替えダイヤル２ｇ、ＡＦ／ＭＦ切り替えスイッチ２ｈなどで構成される。なお、操作入力部２は図示の操作以外の操作ボタン類も含まれるが、それらの説明は省略する。
【００１７】
電源ボタン２ａは、撮影装置の電源のＯＮまたはＯＦＦを切り替えることができる。撮影者が電源ボタン２ａでＯＮにすると、撮像装置１００に内蔵されているバッテリー（不図示）から各回路へ電源供給されて、撮像装置１００の起動処理（レンズバリア（不図示）を開く動作制御およびＣＰＵ４のリセット処理など）が行われる。
【００１８】
再生ボタン２ｃは、撮影した画像を閲覧する再生モードに切り替えるためのボタンである。再生ボタン２ｃが押下されると、撮影モードから再生モードに移行する。再生モードでは、ＣＰＵ４がシステムバスを経由して、記録媒体から画像データを読み出し、表示部６に撮影画像を表示する。なお、再生モードへの切替方法については、再生ボタン２ｃの押下に限定されず、表示部６（例えば、ディスプレイ）がタッチパネル機能を備えているものであれば、ユーザによるタッチ操作を受け付けることで移行させる方法であってもよい。
【００１９】
再生モードでは、コントローラが、Ｉ／Ｆ回路を介して、カードホルダに装着されている記録媒体５から設定情報と画像データを読み出す。設定情報は、現在装着されている記録媒体５に記録されている画像の枚数および記録されている画像データの容量などである。読み出される画像データは、例えば、画像１枚分の画像データまたはサムネイルデータである。なお、記録媒体５から読み出される画像データは、所定の圧縮形式で圧縮されている。
【００２０】
記録媒体５から読み出された画像データは、Ｉ／Ｆ回路およびコントローラを介して、ディスプレイドライバ（不図示）へ入力される。ディスプレイドライバは、入力された画像データを表示部（ディスプレイ）６に表示させる。
【００２１】
ズームボタン２ｄは、レンズ１ａを光軸方向に前後させることにより撮像素子１ｂに結像する画像の拡大及び縮小を行うことができる。
【００２２】
メニューボタン２ｅは、撮影モードの設定や、撮影装置の初期設定（内部時計の設定、表示部６の明るさ等）を行う画面を表示部６に表示する。
【００２３】
カーソルキー２ｆ、はユーザが撮影装置に対する所定の指示や機能選択を行うためのキーである。ユーザは、カーソルキー２ｆにより、液晶ディスプレイ２１７にメニュー画面を表示させたり、撮像装置１００が有する所定の機能を選択することができる。
【００２４】
撮影モード切り替えダイヤル２ｇは、撮影時の動作モードを切り替えるための回転可能なダイヤルである。撮影者は撮影モード切り替えダイヤル２ｇを回転操作することで、撮影モードを選択することが可能である。ユーザはダイヤル２ｇを操作することで、複数の撮影動作モードを選択することが可能である。なお、本発明の実施形態において、ダイヤル２ｇは、ダイヤル式機構として記載をしている、例えば、ダイヤルではなくスライド式の切替スイッチであってもよい。つまり、モードダイヤル２ｇについて、その機構はダイヤルに限定されず、カメラのモードを切り替えられるための機構を備えていることが本質である。
【００２５】
ＡＦ／ＭＦ切り替えスイッチ２ｈは、撮像装置１００のフォーカス機能の有効・無効を設定するスイッチである。ＡＦに切り替えるとオートフォーカス、ＭＦに切り替えるとマニュアルフォーカスに設定される。
表示部６は、撮影画像の表示や、撮像装置１００の設定情報を表示することができる。
【００２６】
ファインダ７は、撮影対象の撮影範囲や構図決めなどに使用し、ファインダ内にはカメラの設定情報を表示する機能を備える。
【００２７】
スピーカ８は、撮影時のフォーカス（合掌）通知や、ＩＣチップ１０とＩＣチップ通信部９が通信可能な場合の通知を行う機能を備える。
【００２８】
ＩＣチップ通信部９は、いわゆる非接触ＩＣチップリーダであり、ＩＣチップ１０へ電波を発信し、ＩＣチップ１０から返信された電波を受信する機能を有する。
【００２９】
ＩＣチップ（識別媒体）１０は、いわゆる非接触ＩＣチップであり、ＩＣチップ通信部９から送信された電波を受信するとＩＣチップ１０内に電流が流れることにより、ＩＣチップ通信部９へ電波を発信する機能を有する。個々のＩＣチップ１０はそれぞれ一意に識別可能な情報を有し、撮像装置１００は、この識別情報と撮像装置１００の撮影モードの各項目の設定値を関連付けて、記憶部１４に記憶される設定情報テーブル４００に登録する。ＩＣモードボタン１２は、ＩＣチップ１０による撮影モード設定の可否を切り替える機能を備える。
【００３０】
ＩＣモードボタン１２により、撮影モードの設定が可能な状態にあるとき、ＩＣチップ通信部９とＩＣチップ１０は通信を行い、ＩＣチップ１０に関連づく撮影モードの設定を行えるが、撮影モードの設定が不可な場合はＩＣチップ通信部９とＩＣチップ１０は通信を行えず、ＩＣチップ１０に関連づく撮影モードの設定は行えない。
【００３１】
設定制御部１３は、ＩＣチップ通信部９により、ＩＣチップ１０から取得した識別情報から、ＩＣチップ１０に関連づく撮影モード設定情報を設定情報テーブル４００に登録する機能を有する。また、設定制御部１３は、ＩＣチップ通信部９により、ＩＣチップ１０から取得した識別情報から、ＩＣチップ１０に関連づく撮影モード設定情報を、設定情報テーブル４００から取得し、撮像装置１００に撮影モードを設定する機能を有する。
【００３２】
画像処理部１５は、前処理部１ｄ、ＹＣ処理部１ｅ、電子ズーム処理部１ｆ、圧縮部１ｇ、および伸長部１ｈを備え、カメラ信号処理部１ｃから出力されるデジタル信号から画像データを生成し、各種画像処理を行う機能を有する。
【００３３】
前処理部１ｄは、入力される画像データに基づく画像のホワイトバランスを調整するホワイトバランス処理や画像のガンマ補正処理を行う機能を有する。ホワイトバランス処理は、画像の色合いを、実物の色合いに近くなるように調整したり、光源（蛍光灯や太陽光など）に合った適正な色に調整したりする処理である。ガンマ補正処理は、画像のコントラストを調整する処理である。なお、前処理部１ｄは、ホワイトバランス処理およびガンマ補正処理以外の画像処理を実行することも可能である。
【００３４】
ＹＣ処理部１ｅは、入力される画像データに基づく画像を、輝度情報「Ｙ」と、輝度信号と青色の色差情報「Ｃｂ」と、輝度信号と赤色の色差情報「Ｃｒ」とに分離する機能を有する。電子ズーム処理部１ｆは、画像の一部（例えば中央部）を所定の大きさでトリミングし、トリミングした画像を信号処理で元画像の大きさに拡大する機能を有する。電子ズーム処理部１ｆは、例えば、撮影された１６００×１２００ドットの画像から中央の１０２４×７６８ドットの画像を切り出し、データ補間を行いながら１６００×１２００ドットのサイズに拡大することができる。
【００３５】
圧縮部１ｇは、画像データをＪＰＥＧ（Ｊｏｉｎｔ  Ｐｈｏｔｏｇｒａｐｈｉｃ  Ｅｘｐｅｒｔ  Ｇｒｏｕｐ）方式などの圧縮形式によって圧縮する機能を有する。伸長部１ｈは、圧縮されている画像データを伸長する機能を有する。例えば、画像データをＪＰＥＧ方式で圧縮する場合、まず、画像データの高周波成分と低周波成分の割合を数値化する離散コサイン変換処理が行われる（ＤＣＴ処理）。次に、画像の階調やグラデーションを表現する段階を数値（量子化ビット数）で表現する量子化処理が行われる。最後に、ハフマン符号化処理で画像データが圧縮される。
【００３６】
具体的には、画像データの信号文字列が一定のビット毎に区切られ、出現頻度が高い文字列に対してより短い符号が与えてられてゆく。なお、圧縮処理を行わないで画像データを記録する方式の場合は、圧縮部１ｇおよび伸長部１ｈを省略することができる。また、画像データの圧縮形式は、ＪＰＥＧ方式に限らず、ＧＩＦ（Ｇｒａｐｈｉｃａｌ  Ｉｎｔｅｒｃｈａｎｇｅ  Ｆｏｒｍａｔ）形式などであっても、同様に処理を行うことができる。以上、図１を用いて本発明を実施する撮像装置のハードウエア構成および撮影機能について説明した。
【００３７】
図２は、本発明を適用した一実施形態の撮影装置を示す正面図である。
撮像装置１００を正面から見ると、筐体右側上部には撮影モード切り替えダイヤル２ｇがあり、筐体左側上部には、撮影ボタン２ｂと、ＩＣチップ通信部９がある。
【００３８】
また図３は、本発明を適用した一実施形態の撮影装置を示す背面図である。撮像装置１００を背面から見ると、電源ボタン２ａ、メニューボタン２ｅ、再生ボタン２ｃ、カーソルキー２ｆ、表示部６、ファインダー７、ＩＣチップ通信状態表示部１１、ＩＣモードボタン１２が備えられている。なお、図２および図３で説明した撮像装置１００の各部位の位置については、必ずしもこの構成を取る必要がないということは言うまでもない。
次に、図５〜７のフローチャートを用いて、本発明の一連の処理について説明をする。
【００３９】
まず図５は、撮像装置１００で撮影を実行するための登録処理に係る動作の一例を示すフローチャートである。また、図５の登録処理において、撮像装置１００の表示部６に表示されるユーザインタフェース（ＵＩ）の遷移を示すのが図１１である。適宜、図１１のＵＩを用いて説明を進めていく。
【００４０】
まず、ステップＳ５０１において、撮像装置１００は、ユーザによるダイヤル２ｇの操作を受け付け、撮影モードの設定を実行する。具体的には、ステップＳ５０２において、ダイヤル２ｇが登録モードに設定されることにより、登録モードへ移行する。登録モードへ移行すると、図１１の１１０１のＩＣチップ登録画面が表示される。ＩＣチップ登録画面には、各指の撮影モードの確認をするためのボタンと、「新規登録」ボタンが表示されている。
【００４１】
例えば、親指のＩＣチップ（図１０の１００１−０）撮影モードの確認のために、「親指」ボタンの押下を受け付けると、１１０５の設定内容編集画面が表示され、現在親指のＩＣチップと対応付けて登録されている撮影モードの確認が可能である。また、この画面では、撮影モードの設定内容の編集をすることが可能であり、各項目のボタンの押下を受け付けることにより設定値の変更を行い、「更新」ボタンの押下を受け付けると設定値を更新して、１１０１の画面に戻る。１１０１において、「新規登録」ボタンの押下を受け付けると、１１０２の画面に遷移する。
【００４２】
ステップＳ５０２において、撮像装置１００が登録モードに切り替わると、ステップＳ５０３において、登録画面１１０２を表示部６に表示した後、ＩＣチップ１０をＩＣチップ通信部９に認識させる。具体的に、撮像装置１００は、ＩＣチップ１０がＩＣチップ通信部９を介して通信可能か、すなわち、ＩＣチップ通信部９がＩＣチップ１０を検知できるか否かチェックする。この時、登録画面１１０２には「ＩＣチップを通信部にかざしてください」という趣旨のメッセージを表示して、ＩＣチップの読み込みを促す。ＩＣチップがＩＣチップ通信部９によって検知されると、ステップＳ５０４において、撮像装置１００は、ＩＣチップ１０と現在設定されている撮影モードを関連付けて撮像装置１００のメモリ３に記憶されている設定情報テーブル４００に登録（ステップＳ５０４）する。
【００４３】
ここでは、図１１の１１０３のＩＣチップ検出の確認画面が表示され、ＩＣチップの登録をするか否かという質問に対して「はい」ボタンの押下を受け付けると、１１０４の設定内容確認画面が表示される。１１０４の設定内容確認画面は、１１０２のＩＣチップ読込画面で、ＩＣチップを検知した時に設定されていた撮影モードの設定値を表示しており、読み込まれた設定値に間違いがなければ、「登録」ボタンの押下を受け付けて、図４の設定情報テーブル４００へ記憶する。１１０４の画面で「キャンセル」ボタンの押下を受け付けると、設定内容の編集画面１１０７に遷移して、設定値の編集を受け付ける。
【００４４】
ステップＳ５０５において、撮像装置１００は、設定情報テーブル４００に登録後、登録モード終了指示により登録処理（Ｓ５０１）を終了させる。
また、ステップＳ５０３で検知したＩＣチップが既に登録されているものである場合には、１１０６の上書き確認画面に遷移し、ＩＣチップと対応付いている設定値の上書きを確認する画面が表示される
【００４５】
図５のフローチャートに示した登録処理によれば、撮像装置１００は、ＩＣチップ通信部９にＩＣチップ１０を読み込ませることで、撮影モードを登録することが可能になる。これにより、撮像装置１００を素手で使用しない環境において操作する場合の撮影モードの切り替えが簡便になる。。
【００４６】
図４は、本発明を適用した一実施形態の撮像装置１００のメモリ３に記憶される設定情報テーブル４００の一例を示す図である。
【００４７】
設定情報テーブル４００は、撮影設定を登録するＩＣチップＩＤに、ショットモード（連写／単写）の設定、撮影モード（オート／マニュアルなど）の設定、フラッシュの設定、ＩＳＯの設定、露出の設定、シャッタースピードの設定、Ｆ値（絞り値）の設定などが記憶されている。
【００４８】
ＩＣチップＩＤ４０１とは、ＩＣチップごとに夫々を示している識別番号（若しくは文字列）である。ショットモード４０２とは、撮影時の単写、連写設定を記憶する項目である。なお、ショットモードが単写、連写以外にもある場合（例えばブラケットショット）には、これらも選択可能であることは言うまでもない。
【００４９】
撮影モード４０３とは、例えば、全自動モード（オートモード）、ポートレートモード、風景モード、クローズアップモード（マクロモード）、スポーツモード、夜景ポートレート、ストロボ発光禁止モードなどの簡単撮影モードと、応用撮影時に使用する、プログラムＡＥ、絞り優先ＡＥ（Ａｖモード）、シャッター優先ＡＥ（Ｔｖモード）、マニュアル露出、自動深度優先ＡＥなどの設定値が設定される項目である。
【００５０】
フラッシュの設定４０４とは、フラッシュを「発光可／常時発光／発光禁止」の設定値が設定される項目である。
ＩＳＯの設定４０５とは、撮像装置１００で設定可能なＩＳＯ感度値が設定される項目である。露出の設定４０６とは、撮像装置１００で設定可能な露出値が設定される項目である。  シャッタースピードの設定４０７とは、撮像装置１００で設定可能なシャッタースピードの値が設定される項目である。Ｆ値（絞り値）の設定４０８とは、撮像装置１００で設定可能な絞り値が設定される項目である。
【００５１】
なお、設定情報テーブル４００に記憶する項目について、機種毎の設定値に依存するため、本図で示している設定項目はあくまでも一例である。
【００５２】
以上、図４の設定情報テーブル４００に記憶された設定項目（具体的には、４０２〜４０８）を、ＩＣチップＩＤ４０１と紐付けて記憶することにより、ＩＣチップ１０を通信部９で読み込んだ時に、上記テーブルに記憶されている設定値を、撮像装置１００に対して即時に設定することが可能になる。
【００５３】
次に、図６を用いて本発明の撮像装置１００での撮影処理について詳細に説明をする。図６は、図１の撮像装置１００による撮影処理に係る動作の一例を示すフローチャートである。撮影者は、事前に、撮影ボタン２ｂを押す各指に識別情報の異なるＩＣチップ１０を装着する。
【００５４】
ステップＳ６０２において、撮影者による撮影ボタン２ｂの押下を受け付けると、撮像装置１００は、ＩＣモードがＯＮの状態であるか否かの判定をする。ＩＣモードとは、図５で説明した設定情報テーブル４００へのＩＣチップ１０の登録内容（設定値）を用いての撮影を実行するモードである。
【００５５】
具体的には、撮影モード切替ダイヤル２ｇが、撮影モードのいずれか（図４の４０３で例示した、全自動モード（オートモード）、ポートレートモード、風景モード、クローズアップモード（マクロモード）、スポーツモード、夜景ポートレート、ストロボ発光禁止モードなどの簡単撮影モードと、応用撮影時に使用する、プログラムＡＥ、絞り優先ＡＥ（Ａｖモード）、シャッター優先ＡＥ（Ｔｖモード）、マニュアル露出、自動深度優先ＡＥ）に設定されており、撮像装置１００のＩＣモードボタン１２でＯＮの設定を受け付けることにより、ＩＣチップを用いた撮影モードという形で、ＩＣモードが起動しているか否かを判定する。
【００５６】
また、別の方法でＩＣモードを起動させることを考えるに、撮影モード切替ダイヤル２ｇ以外による設定方法を検討すると、例えば、ＩＣモードボタン１２の機構を持たない撮像装置である場合には、撮影モード切替ダイヤル２ｇに、「ＩＣモード撮影」というモードを追加しておくことにより、ＩＣモードを起動する方法も考えられる。
【００５７】
ＩＣモードがＯＦＦであれば、ステップＳ６０９に進み、そのまま撮影ボタン２ｂの押下を受け付けることで、画像の撮影を実行する。ＩＣモードがＯＮに設定されていれば、ステップＳ６０３に進み、撮像装置１００は、ＩＣチップ１０がＩＣチップ通信部９を介して通信可能か、すなわち、ＩＣチップ通信部９がＩＣチップ１０を検知できるか否かチェックする。通信可能な場合は、ステップＳ６０４において、撮像装置１００は、ＩＣチップ通信部からＩＣチップ１０の識別情報（具体的には、ＩＣチップＩＤ４０１）を取得して、取得したＩＣチップ１０の識別情報が、図４の設定情報テーブル４００に記憶されているか否かを判定する。判定の結果、ＩＣチップ１０の識別情報が、テーブルに記憶されていれば、ステップＳ６０５に進み、その時点で撮像装置１００に設定されている撮影モードを、撮影モード設定前の撮影モードとしてメモリ３に一時的に保存する。
【００５８】
例えば、ＩＣチップ１０との通信が確認される前に、全自動モードでの撮影を行っていた場合には、「全自動モード」という値でメモリ３に一時保存されることになる。また、マニュアル撮影モードでより詳細に設定値（ＩＳＯ感度、Ｆ値、シャッタースピードなど）を変更している場合には、これらの情報も全てメモリ３に記憶する。
【００５９】
ステップＳ６０５で撮影モード設定前の撮影モードをメモリ３に一時保存すると、次に設定情報テーブル４００を記憶部より呼び出し、ステップＳ６０６において、先ほどステップＳ６０４において取得したＩＣチップの識別情報（ＩＣチップＩＤ４０１）をキーにして、ＩＣチップの識別情報（ＩＣチップＩＤ４０１）に関連付けられた撮影モード情報を撮像装置１００に撮影モードを設定する。このとき、ステップＳ６０７において、先ほどＳ６０６で設定された撮影モードをユーザに通知する。具体的な通知方法は、表示部（ディスプレイ）６に、撮影モードの名称を表示する方法や、音声による通知方法が挙げられる。音声で通知をする場合には、撮像装置１００は、サウンドドライバとスピーカ（共に不図示）を備えているものとする。
【００６０】
ステップＳ６０１〜ステップＳ６０７の処理により、ＩＣチップ１０の識別情報（ＩＣチップＩＤ４０１）と紐づけられた撮影モードが、撮像装置１００に設定されたこととなる。
【００６１】
続けて、ステップＳ６０８において、ユーザにより撮影ボタン２ｂの押下を受け付けると、撮像装置１００は撮影を実行する（ステップＳ６０９）。なお、撮影ボタン２ｂの押下を受け付けるまで、撮像装置１００は、ステップＳ６０８の処理を繰り返し行うものとする。
【００６２】
撮影後に引き続き撮影を行う場合（ステップＳ６１０でＹＥＳ）には、再度撮影ボタン２ｂの押下を受け付け、撮影を行うことができる。撮影を終了後、撮影ボタン２ｂを押下した指に装着されているＩＣチップ１０を、ＩＣチップ通信部９との通信可能なエリア外に離れ、ＩＣチップ１０とＩＣチップ通信部９が通信できなくなった場合（ステップＳ６１１でＮＯ）には、ステップＳ６１２において、撮像装置１００は、ステップＳ６０５でメモリ３に一時的に保存した撮影モードを呼び出して再び撮像装置１００に設定することにより、現在ＩＣチップ１０関連付けて設定されている撮影モードをリセットする。
【００６３】
次に、図７を用いることによりＩＣチップ１０とＩＣチップ通信部９との通信処理について詳細に説明をする。図７は、図１の撮像装置１００によるＩＣチップ通信設定処理に係る動作の一例を示すフローチャートである。また、図７の設定処理において、撮像装置１００の表示部６に表示されるユーザインタフェース（ＵＩ）の遷移を示すのが図１２である。適宜、図１２のＵＩを用いて説明を進めていく。
【００６４】
ステップＳ７０２において、撮像装置１００は、ＩＣチップ通信設定モード移行指示を受け付けると、ＩＣチップ通信設定画面を表示部６に表示し、ＩＣチップ通信部９の受信感度設定を行う。撮像装置１００は、ＩＣチップ１０がＩＣチップ通信部９を介して通信可能か、すなわち、ＩＣチップ通信部９がＩＣチップ１０を検知できるか否かチェックする。
【００６５】
受信感度設定とは、ＩＣチップ１０とＩＣチップ通信部９の通信可能なエリアの広さを調節することにより、撮影者の各指に装着したＩＣチップ１０との混信を防ぎ、撮影ボタン２ｂを押した際、指に装着されているＩＣチップ１０以外のＩＣチップ１０で撮影モードが設定されてしまわないように受信感度設定を行うものであり、撮像装置１００の受信感度の強弱と、ＩＣチップ１０とＩＣチップ通信部９間の距離を調節しながら行うものである。
【００６６】
ＩＣチップ通信設定画面が表示部６に表示され、受信感度設定が開始すると、ＩＣチップ１０とＩＣチップ通信部９が通信可能な場合、撮像装置１００は、通信エリア内通知（ステップＳ７０４）を行い、ＩＣチップ１０とＩＣチップ通信部９が通信不可能な場合は通信エリア外通知（ステップＳ７０５）を行う。通信エリア内通知（ステップＳ７０４）および通信エリア外通知（ステップＳ７０５）は、表示部６での表示、ファインダ７での表示、スピーカ８による音、はＩＣチップ通信状態表示部１１での表示などによる通知手段がある。
【００６７】
表示部６で設定状況を表示する場合には、１２０１および１２０２のＩＣチップ受信感度設定画面が表示される。
図７のＩＣチップ受信感度設定処理によれば、撮影者の隣接する各指に装着されたＩＣチップが混信しないように調節したり、図１０に示す様々な手袋の厚み（大きさ）の違いによるＩＣチップ検出可能距離の差異を小さくして、個々の撮影者の好みのタイミングでカメラの撮影モードを設定することができるようになる。
【００６８】
図８は、ＩＣチップ１０の受信感度設定に係る動作の一例を示す概念図である。図７に記したフローチャートで示した通信エリア外通知（ステップＳ７０５）の手段の例として、ファインダ７での表示（７０１）、表示部６での表示（７０２）、ＩＣチップ通信状態表示部１１での表示を示す。ＩＣチップ通信状態表示部１１は、通信エリア外通知（ステップＳ７０５）を行う場合は、消灯状態になる。
【００６９】
図９は、ＩＣチップ１０の受信感度設定に係る動作の一例を示す概念図である。図７に記したフローチャートで示した通信エリア内通知（ステップＳ７０４）の手段の例として、表示部６での表示（７０１）ファインダ７での表示（７０２）、ＩＣチップ通信状態表示部１１での表示を示す。ＩＣチップ通信状態表示部１１は、通信エリア内通知（ステップＳ７０５）を行う場合は、点灯状態になる。
【００７０】
図１０は、図１の撮影装置によるＩＣチップ１０装着の一例を示す図である。図１０では、指先に１０００、１００１、１００２、１００３および１００４のＩＣチップ１０を備える手袋により、指先への装着を実現している。
【００７１】
以上で、本発明の撮像装置で実行する処理の説明を終える。なお、本発明の実施形態では、撮像装置の表示部（ディスプレイ）６が、タッチパネル機能を有しているものであれば、ユーザからの指示受付は、操作入力部のカーソルキー２ｆによる操作を受け付けではなく、表示部（ディスプレイ）６へ押下を直接受け付けることにより、制御を実行することが可能である。
【００７２】
以上、本発明によれば、撮影装置を操作する際、指紋認証を用いることなく指の種類を判別し、動作を制御する撮影装置を提供することが可能となる。具体的には、識別情報（ＩＣチップ１０のＩＣチップＩＤ４０１）を検知する検知部（ＩＣチップ通信部９）と、撮影時の制御情報と前記識別媒体とを紐付けて管理（メモリ３）する撮像装置において、前記識別媒体の受付に応じて、当該識別媒体に記憶されている識別情報を検知する検知手段（図５のステップＳ５０３）と、前記検知手段により前記識別媒体を検知した時の前記撮像装置の制御情報と、前記識別媒体の識別情報とを紐付けて記憶部に登録する制御情報登録手段（図５のステップＳ５０４、図１１の１１０３と１１０４のＵＩ）と、前記識別媒体を用いて制御情報を設定可能な制御撮影モードに切り替える切替手段（図６のステップＳ６０２）と、前記切替手段により制御撮影モードに切り替えられている時に、前記検知手段で検知した識別媒体の識別情報が登録されているか否かを判定する判定手段（図６のステップＳ６０４）と、前記判定手段により前記識別媒体の識別情報が登録されていると判定された場合（ステップＳ６０４のＹＥＳ）、当該識別情報に紐づ手管理されている制御情報を取得する取得手段（図６のステップＳ６０６）と、前記取得手段により取得した制御情報に基づいて、画像の撮影を実行する撮影手段（図６のステップＳ６０８）とを備えることを特徴とする。
【００７３】
以上説明したように、本発明におけるプログラムは、図５〜図７に示すフローチャートの処理に従って撮像装置としてコンピュータが実行可能なプログラムであり、本発明の記憶媒体は図５〜図７の処理方法を撮像装置が実行可能なプログラムを記憶されている。なお、本発明におけるプログラムは図５〜図７の各装置の処理方法ごと、別の独立したプログラムであってもよい。
【００７４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。この場合、記録媒体から読み出されたプログラム自体が本発明の新規な機能を実現することになり、そのプログラムを記憶した記録媒体は本発明を構成することになる。
【００７５】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７６】
また、撮像装置が読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７７】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７８】
また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７９】
さらに、本発明を達成するためのプログラムをネットワーク上のサーバ，データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【００８０】
また上記のソフトウェアで実現する各処理を、ファームウェアやハードウェア構成にして、各処理を各手段として実現することも可能であり、本発明の技術的範囲はこのようなファームウェアやハードウェア構成による実現も含むものである。
【符号の説明】
【００８１】
１００    撮影装置
２        操作入力部
２ｇ      撮影モード切り替えダイヤル
２ｈ      ＡＦ／ＭＦ切り替えスイッチ
６        表示部
７        ファインダ
８        スピーカ
９        ＩＣチップ通信部
１０      ＩＣチップ
１１      ＩＣチップ通信状態通知部
１２      設定制御部
１３      ＩＣモードボタン
１４      記憶部
１５      画像処理部
１ｄ      前処理部
１ｅ      ＹＣ処理部
１ｆ      電子ズーム処理部
１ｇ      圧縮部
１ｈ      伸長部
４００    設定情報テーブル
１０００  ＩＣチップ１０−０
１００１  ＩＣチップ１０−１
１００２  ＩＣチップ１０−２
１００３  ＩＣチップ１０−３
１００４  ＩＣチップ１０−４
【図１】
2012105220.tif 000003
【図２】
2012105220.tif 000004
【図３】
2012105220.tif 000005
【図４】
2012105220.tif 000006
【図５】
2012105220.tif 000007
【図６】
2012105220.tif 000008
【図７】
2012105220.tif 000009
【図８】
2012105220.tif 000010
【図９】
2012105220.tif 000011
【図１０】
2012105220.tif 000012
【図１１】
2012105220.tif 000013
【図１２】
2012105220.tif 000014